(57)【要約】      （修正有）【課題】極薄型の緑化基盤に樹木系植物を植栽し得るようにした薄型緑化システムとそのための薄型緑化システムセットと、その主要な部材となる薄型植栽用基盤体に関する。【解決手段】薄型函体６の底板面より函体内に向けて取付体１３を突出しておき、その函体内面を防水処理するか又は防水シートを函体内面に沿うよう内装し、前記取付体は防根シート８を貫通した状態にし、その上に粒状炭を敷き詰め、その上緑化材を不織布又はネット状シートで包んだ薄型植生マット１０を敷設し、更にその上に固定用金網を載置したうえ、取付金具を介して植立している取付体に固定するようにしたことを特徴とする植栽用基礎構造体と、当該薄型植生マット上に植栽根巻部の基部固定具と、支持棒と、植物の根元を押さえるワイヤーと、植栽根巻部の周囲固定具と、根部を土壌と共に布状物で包んだ根巻部を形成してなる樹木からなる薄型緑化システム。【選択図】図１
2005185110.tif 000002
【特許請求の範囲】
【請求項１】
薄型函体の内面を防水処理するか又は防水シートを函対内面に沿うよう内装し、その上に防根シートを函体内面に沿うよう内装し、その防根シートの上に粒状炭を敷き詰め、その上にバーク、ピートモス、炭、肥料、土壌改良材などの緑化材を不織布又はネット状シートで包んで縫製してなる薄型植生マットを重ねるように敷設収納し、更にその上に固定用金網を載置して、この固定用金網を固定手段を介して函体に固定することにより函体と当該収納物とを挟持固定させるようにしてなる植栽用基礎構造体と、
樹木系植物が倒れないように植栽根巻部を周囲から押さえながら固定用金網に固定するように構成した植栽根巻部の周囲固定具と、
根部を土壌と共に布状物で包んで植栽根巻部を形成してなる樹木系植物と、
植栽用土壌との組み合わせからなる薄型緑化システムセット。
【請求項２】
薄型函体の内面を防水処理するか又は防水シートを函対内面に沿うよう内装し、その上に防根シートを函体内面に沿うよう内装し、その防根シートの上に粒状炭を敷き詰め、その上にバーク、ピートモス、炭、肥料、土壌改良材などの緑化材を不織布又はネット状シートで包んで縫製してなる薄型植生マットを重ねるように敷設収納し、更にその上に固定用金網を載置して、この固定用金網を固定手段を介して函体に固定することにより函体と当該収納物とを挟持固定させるようにしてなる植栽用基礎構造体と、
前記薄型植生マットの表面適所に配設して前記固定用金網に固定し得るように構成するとともに、樹木系植物の位置決めとその植栽根巻部の基部を支持し得るように構成した植栽根巻部の基部支持具と、
樹木系植物が倒れないように植栽根巻部を周囲から押さえながら固定用金網に固定するように構成した植栽根巻部の周囲固定具と、
根部を土壌と共に布状物で包んで植栽根巻部を形成してなる樹木系植物と、
植栽用土壌との組み合わせからなる薄型緑化システムセット。
【請求項３】
薄型函体の底板面より函体内に向けて複数の取付体を突出しておき、その函体内面を防水処理するか又は防水シートを函体内面に沿うよう内装し、その上に防根シートを函体内面に沿うよう内装するが、その際、函体内に突出した前記取付体は防根シートを貫通した状態にしておき、その防根シートの上に粒状炭を敷き詰め、その上にバーク、ピートモス、炭、肥料、土壌改良材などの緑化材を不織布又はネット状シートで包んだうえ縫製してなる薄型植生マットを重ねるように敷設し、更にその上に固定用金網を載置したうえ、当該固定用金網の上から押圧しながら取付金具を介して植立している取付体に固定するようになし、これにより函体内に収納されている植栽用基盤材を挟持固定させるようになしたことを特徴とする植栽用基礎構造体と、
当該薄型植生マットの表面適所に平面方向に形成された係止部と上方向に延出された係止用爪部とからなる植栽根巻部の基部固定具と、
下部に係止部を設け上部に螺子部を設けてなる支持棒と、植物の根元を環状にして押さえることが出来るようにしたワイヤーと、基部に前記支持棒への係止部を有し先端部にワイヤー係止部を有する締付用クローとからなる植栽根巻部の周囲固定具と、
根部を土壌と共に布状物で包んだ植栽根巻部を形成してなる樹木系植物と、
植栽用土壌との組み合わせからなる薄型緑化システムセット。  
【請求項４】
薄型函体の内面を防水処理するか又は防水シートを函対内面に沿うよう内装し、その上に防根シートを函体内面に沿うよう内装し、その防根シートの上に粒状炭を敷き詰め、その上にバーク、ピートモス、炭、肥料、土壌改良材などの緑化材を不織布又はネット状シートで包んで縫製してなる薄型植生マットを重ねるように敷設収納し、更にその上に固定用金網を載置して、この固定用金網を固定手段を介して函体に固定することにより函体と当該収納物とを挟持固定させるようにしてなる植栽用基礎構造体と、
樹木系植物が倒れないように植栽根巻部を周囲から押さえながら固定用金網に固定するように構成した植栽根巻部の周囲固定具と、
根部を土壌と共に布状物で包んで植栽根巻部を形成してなる樹木系植物と、
植栽用土壌との組み合わせからなる薄型緑化システムセットを用意し、
前記植栽用基礎構造体上面に植栽用土壌を水分とともに敷き均して植栽用基礎構造体の表面を覆うとともに前記植生基盤マット内にまで植栽用土壌を入り込ませて植栽用土壌と前記植生基盤マット内の植生基盤材とが一体化するようになしたことを特徴とする薄型植栽用基盤体を構成するようになし、
そのうえで当該薄型植栽用基盤体上に樹木系植物を植立するように配置し、植栽根巻部の周囲固定具を用いて、前記植栽根巻部の周囲を押さえるように固定することにより当該樹木系植物が倒れないように植立固定し、
当該植栽根巻部と植栽根巻部の周囲固定金具と薄型植栽用基盤体の表面に仕上げ用の植栽土壌を被せてそれらが土壌で被覆するようになし、必要に応じてその表面に保水用のシダ、コケ、草類などの植物を植え付けたことを特徴とする薄型緑化システム。
【請求項５】
防水シートと防根シートを重ねて底部と側部を形成し、その底部上に粒状炭を敷き詰め、その上にバーク、ピートモス、炭、肥料、土壌改良材などの緑化材を不織布又はネット状シートで包んで縫製してなる薄型植生マットを重ね、全体を一体に止めて薄型植生マット体となし、これを薄型函体内に収納し、更にその上に固定用金網を載置してこの固定用金網を固定手段を介して函体に固定することにより函体と当該収納物とを挟持固定させるようにした植栽用基礎構造体と、
前記薄型植生マットの表面適所に配設し植栽根巻部の基部を支持し且つ植栽根巻部を前記植栽用基礎構造体の固定用金網に固定し得るようになした植栽根巻部の基部固定具と、
植栽根巻部を押圧固定して樹木系植物が倒れないように固定用金網に固定するための植栽根巻部の周囲固定手段と、
根部を土壌と共に布状物で包んだ植栽根巻部を形成してなる樹木系植物と、
植栽用土壌との組み合わせからなる薄型緑化システムセットを用意し、  
前記植栽用基礎構造体上面の望む場所に任意の数の前期植栽根巻部の基部固定具を前記固定用金網に固定したうえ、その上に植栽用土壌を水分とともに敷き均して植栽用基礎構造体の表面を覆うとともに前記植生基盤マット内にまで植栽用土壌を入り込ませて植栽用土壌と前記植生基盤マット内の植生基盤材とが一体化するようになすとともに、その表面を覆う植栽用土壌から前記植栽根巻部の基部固定具の先端部を突出させて植栽根巻部配置領域を形成したことを特徴とする薄型植栽用基盤体を構成するようになし、
そのうえで当該薄型植栽用基盤体の植栽根巻部配置領域に樹木系植物を植立するように配置して前記植栽根巻部の基部固定具により位置決めと、樹木系植物における植栽根巻部の基部を支持するようになし、
更に、植栽根巻部の周囲固定具を用いて、前記植栽根巻部の周囲を押さえるように固定することにより当該樹木系植物が倒れないように植立固定し、
当該植栽根巻部と組み立てられた前記植栽根巻部の基部固定具と植栽根巻部の周囲固定金具と薄型植栽用基盤体の表面に仕上げ用に植栽土壌を被せてそれらが土壌で被覆するようになし、必要に応じてその表面に保水用のシダ、コケ、草類などの植物を植え付けたことを特徴とする薄型緑化システム。
【請求項６】
厚さが５〜２０ｃｍ薄型函体の底板面より函体内に向けて複数の取付体を植立し、その函体内面を防水処理するか又は防水シートを函体内面に沿うよう内装し、その上に防根シートを函体内面に沿うよう内装し、その際前記取付体は防根シートを貫通した状態にしておき、その防根シートの上に粒状炭を敷き詰め、その上にバーク、ピートモス、炭、肥料、土壌改良材などの混合物を不織布又はネット状シートで包んだうえ縫製してなる薄型植生マットを重ねるように敷設し、更に必要に応じて当該薄型植生マットの表面適所に平面方向に形成された係止部と上方向に延出された係止用爪部とからなる植栽根巻部の基部固定具を単数または複数配設し、その上に固定用金網を載置して、取付金具を介して当該固定用金網の上から押圧しながら前記植立している取付体に固定するようになし、これにより函体内に収納されている植栽用基盤材と植栽根巻部の基部固定具とを挟持固定させるようになし、その上に植栽用土壌を水分とともに敷き均して、前記植生基盤マット内にまで前記植栽用土壌を入り込ませて表面を覆う植栽用土壌と前記植生基盤マット内の植生基盤材とが一体化するとともに、その表面を覆う植栽用土壌から前記植栽根巻部の基部固定具の係止用爪部の先端部を突出させて植栽根巻部配置領域を形成するようにしたことを特徴とする薄型植栽用基盤体と、
下部に係止部を設け上部に螺子部を設けてなる支持棒と植物の根元を環状にして押さえることが出来るようにしたワイヤーと基部に前記支持棒へ係合部を有し先端部にワイヤー係止部を有する締付用クローとからなる植栽根巻部の周囲固定金具と、
根部を付着している土壌と共に布状物で包み植栽根巻部を形成してなる樹木系植物とを用意し、
樹木系植物を前記薄型植栽用基盤体の植栽根巻部配置領域に植立するように配置して前記植栽根巻部の基部固定具により位置決めと、樹木系植物における植栽根巻部の基部を支持するようになし、
更に植栽根巻部の周囲固定金具を用いて、前記植栽根巻部の根元には樹木系植物の根元にワイヤーを周回させて止めた環状ワイヤーを装着しておき、他方前記支持棒の下部に設けた係止部を固定用金網に係止させながら前記植栽根巻部の周囲に複数本立てて、その上部の螺子部に締付用クローを係合部を介して係合するとともに、締付用クローの先端部のワイヤー係止部を前記装着された環状ワイヤーに係止して、螺子により締付用クローの係合位置を移動させて環状ワイヤーと締付用クローと支持棒とを緊張させるようにして植栽根巻部の周囲を押さえるように固定し、これによって樹木系植物が倒れないように植立固定したうえ、
当該植栽根巻部と組み立てられた前記植栽根巻部の基部固定具と植栽根巻部の周囲固定金具と薄型植栽用基盤体の表面に仕上げ用に植栽土壌を被せてそれらが土壌で被覆するようになし、必要に応じてその表面に保水用のシダ、コケ、草類などの植物を植え付けたことを特徴とする薄型緑化システム。
【請求項７】
薄型函体の内面を防水処理するか又は防水シートを函対内面に沿うよう内装し、その上に防根シートを函体内面に沿うよう内装し、その防根シートの上に粒状炭を敷き詰め、その上にバーク、ピートモス、炭、肥料、土壌改良材などの緑化材を不織布又はネット状シートで包んで縫製してなる薄型植生マットを重ねるように敷設収納し、更にその上に固定用金網を載置して、この固定用金網を固定手段を介して函体に固定することにより函体と当該収納物とを挟持固定させるようにしたことを特徴とする植栽用基礎構造体。
【請求項８】
防水シートと防根シートを重ねた底部を形成し、その底部上に粒状炭を敷き詰め、その上にバーク、ピートモス、炭、肥料、土壌改良材などの緑化材を不織布又はネット状シートで包んで縫製してなる薄型植生マットを、薄型函体内に収納するが、
当該薄型函体の底板面より函体内に向けて複数の取付体を突出してあり、その函体内に突出した前記取付体は薄型植生マットを貫通した状態にしておき、その上に固定用金網を載置したうえ、当該固定用金網の上から押圧しながら取付金具を介して植立している取付体に固定するようになし、これにより函体内に収納されている植栽用基盤材を挟持固定させるようになしたことを特徴とする植栽用基礎構造体。
【発明の詳細な説明】
【技術分野】
【０００１】
本発明は、極薄型の緑化基盤に樹木系植物を植栽し得るようにした薄型緑化システムとそのための薄型緑化システムセットと、その主要な部材となる薄型植栽用基盤体に関する。
【背景技術】
【０００２】
従来より、法面緑化、岩盤緑化、水際緑化、屋上緑化、ビル緑化、壁面緑化など多様な要請に応じて各種の緑化装置や緑化資材が多方面で多研究開発されている。その中には、実用性の高い緑化装置もあるが、その多くは草花類による緑化であった。その理由は、土壌や土壌代替物など植生基材が少なくて済むからである。樹木系植物の植栽技術については、いまだ満足いく緑化技術の開発がなされていないのは、樹木系植物の場合、自然界の樹木系植物の生育条件そうであるように、樹木は根が大きく張ることから土壌層が相当に厚く多量に存在しないと生育できないと思われてきたからである。このため植木鉢に樹木系植物を植栽する場合でも、街路樹を植える場合でも、少なくとも樹木の大きな根を埋め込むだけの深さは必要であるとされてきた。
【０００３】
他方近年、都会におけるヒートアイランド現象が社会問題になるにつれて、屋上緑化や、ビル緑化、ベランダ緑化などの必要性が高まり、この要請に応える緑化装置や緑化器具の開発競争が起こっている。そして、ベランダに植木鉢を置き、草花を栽培したり、屋上庭園として、花壇や野菜畑を作ることが流行している。しかるに、これらの場合、そのほとんどが、草花類の低い植物であり、樹木系植物を植栽するのは難しいとされていた。その大きな理由は、樹木系植物によるビル緑化や屋上緑化をする場合には、風雪による倒木を防ぐために土壌を厚く多量に確保する必要があるが、その重量に耐えるビルや家屋の強度を高めたり、防水処理を充分に行う必要が生じるためであった。すなわち、従来のビルや家屋は、多くの場合屋上緑化やビル緑化を前提にして設計されていないので、緑化したくても出来ないというのが、現状であった。
【発明の開示】
【発明が解決しようとする課題】
【０００４】
本発明者は、このような現実を踏まえて、緑化装置を軽量化しながら風雪による倒木を防ぎ、しかも樹木系植物を植栽し続けることのできる緑化装置や工法を開発するため鋭意努力をしてきた。
【０００５】
例えば、これまでも樹木系植物を植栽する際に、根を広く張ることが出来ないとしても、少なくともその根を埋め込むだけの土壌の深さを確保し、自力で植立するようにし、風や雪によって外圧が負荷された場合でも簡単に倒れないように補助する必要があるとして、樹木系植物の根元を支持したり、固定したり、添え木をしながら植栽する方法や、そのための緑化装置や器具の開発をしてきた。それらの経験の中から、樹木系植物の根は、栄養分を土壌から吸収するという本来の機能は勿論のこと、高さのある樹木を自然界の厳しい風雪の中でも植立し続けられるようにする機能も思っていたより大きな役割を持っていることが解ってきた。したがって、樹木系植物の根元を支持したり固定して、風雪による倒木を防ぐように植立維持機能を補助すれば、必ずしも土壌や土壌代替物など植生基材についてはその量を確保する必要がないことを見出した。
【０００６】
本発明者は、前記のように樹木系植物を元気に生育維持するだけであれば、必要な土壌の量は比較的少なくても良いという、経験から得た技術的知見を重視してこれに基づいて、人工的に樹木系植物の根元をしっかり固定して当該樹木と植生基盤を密着一体化することと、風雪による倒木を防ぎ、安定を良くするために固定する根元の植生基盤を平面的に広く薄い構成とすることにより、例え背の高い樹木に転倒するような横風力が負荷された場合であってもその負荷を平面的に広い植生基盤全体で受けることにより不用意に転倒しないようにすることを発想した。その結果、植生基盤の大幅な軽量化が可能となり、従来のように、重く深い土壌層を形成する必要がなくなり、設計上重く深い土壌層を載せることを予測していない既存のビルや家屋であっても自由に樹木植物を含めた緑化を具現化することが可能になった。
【０００７】
本発明は、このような技術知見と新しい発想によって、５ｃｍ〜２０ｃｍという極薄く軽い植性基盤の上に、樹木系植物を不用意に倒木せずに植栽できる緑化システムを開発することに成功したものである。
【課題を解決するための手段】
【０００８】
特許を受けようとする第１発明は、薄型函体の内面を防水処理するか又は防水シートを函対内面に沿うよう内装し、その上に防根シートを函体内面に沿うよう内装し、その防根シートの上に粒状炭を敷き詰め、その上にバーク、ピートモス、炭、肥料、土壌改良材などの緑化材を不織布又はネット状シートで包んで縫製してなる薄型植生マットを重ねるように敷設収納し、更にその上に固定用金網を載置して、この固定用金網を固定手段を介して函体に固定することにより函体と当該収納物とを挟持固定させるようにしてなる植栽用基礎構造体と、
樹木系植物が倒れないように植栽根巻部を周囲から押さえながら固定用金網に固定するように構成した植栽根巻部の周囲固定具と、根部を土壌と共に布状物で包んで植栽根巻部を形成してなる樹木系植物と、植栽用土壌との組み合わせからなる薄型緑化システムセットである。
【０００９】
本発明は、薄型緑化システムを製造するための基本的セットである。それは植栽用基礎構造体と、植栽根巻部の周囲固定具と、樹木系植物と、植栽用土壌との４資材の組み合わせである。その最も重要な特徴は、植栽用基礎構造体を極薄型に形成したことと、植物の根を固定する固定用金網を表面に設けた点にある。即ち、極薄型函体内を防水・防根処理したうえ、水を浄化し且つ腐敗するのを防止する炭材と、植物の栄養素として利用できるバーク、ピートモス、炭、肥料、土壌改良材などの緑化材を偏在しないように縫製してなる薄型植生マットとを重ねて収納し、その上に植物の根部を載せて固定用金網を函体に固定し一体化したものである。その結果、極薄型で、軽量な植栽用基礎構造体であっても、植物の根部を載せて固定用金網に固定することができるとともに、基盤が堅牢な構造になっているうえ、植栽に必要な養分と水分を十分に補給することができるものとなった。その結果、当該薄型緑化システムセットを用意すれば、あとは、前記植栽用基礎構造体の表面から植栽用土壌を水で泥土状にして敷き均し、植栽用基礎構造体の表面を覆うとともに前記植生基盤マット内にまで植栽用土壌を入り込ませただけで、簡単に薄型植栽用基盤体を完成させることができ、しかもしっかりした固定用金網の上に植え付けたいと思っている植物の植栽根巻部をその根を下にして適宜配置し、その植栽根巻部を周囲固定具により当該植物が倒れないように植立固定することができる。そこで当該植栽根巻部と植栽根巻部の周囲固定金具と薄型植栽用基盤体の表面に仕上げ用の植栽土壌を被せてそれらが土壌で被覆するようにしただけで、簡単に樹木系植物も草花類も植栽することができる。このように、本発明に係る薄型緑化システムセットさえあれば、誰でも簡単に樹木系植物を含む緑化を実現することができるのである。特に、本発明の薄型植栽用基盤体は、薄型で軽量に出来ているので、屋上緑化やビル緑化、ベランダ緑化などに適している。しかも、風や雪の負荷がかかっても植栽した植物が不用意には倒れず安定性も高いのも特徴である。
【００１０】
特許を受けようとする第２発明は、薄型函体の内面を防水処理するか又は防水シートを函対内面に沿うよう内装し、その上に防根シートを函体内面に沿うよう内装し、その防根シートの上に粒状炭を敷き詰め、その上にバーク、ピートモス、炭、肥料、土壌改良材などの緑化材を不織布又はネット状シートで包んで縫製してなる薄型植生マットを重ねるように敷設収納し、更にその上に固定用金網を載置して、この固定用金網を固定手段を介して函体に固定することにより函体と当該収納物とを挟持固定させるようにしてなる植栽用基礎構造体と、前記薄型植生マットの表面適所に配設して前記固定用金網に固定し得るように構成するとともに、樹木系植物の位置決めとその植栽根巻部の基部を支持し得るように構成した植栽根巻部の基部支持具と、樹木系植物が倒れないように植栽根巻部を周囲から押さえながら固定用金網に固定するように構成した植栽根巻部の周囲固定具と、根部を土壌と共に布状物で包んで植栽根巻部を形成してなる樹木系植物と、植栽用土壌との組み合わせからなる薄型緑化システムセットである。
【００１１】
当該第２発明は、薄型緑化システムを製造するための基本的セットの一体用である。この薄型緑化システムは、植栽用基礎構造体と、植栽根巻部の基部支持具と、植栽根巻部の周囲固定具と、樹木系植物と、植栽用土壌との５資材を組み合わせたものである。第１発明との相違点は、前記薄型植生マットの表面適所に配設して前記固定用金網に固定し得るように構成するとともに、樹木系植物の位置決めとその植栽根巻部の基部を支持し得るように構成した植栽根巻部の基部支持具が加わっていることである。樹木系植物が大きめの場合には、この植栽根巻部の基部支持具があると、植立固定状態がより強固で安定性の高いものとなるので、望ましい。
【００１２】
特許を受けようとする第３発明は、薄型函体の底板面より函体内に向けて複数の取付体を突出しておき、その函体内面を防水処理するか又は防水シートを函体内面に沿うよう内装し、その上に防根シートを函体内面に沿うよう内装するが、その際、函体内に突出した前記取付体は防根シートを貫通した状態にしておき、その防根シートの上に粒状炭を敷き詰め、その上にバーク、ピートモス、炭、肥料、土壌改良材などの緑化材を不織布又はネット状シートで包んだうえ縫製してなる薄型植生マットを重ねるように敷設し、更にその上に固定用金網を載置したうえ、当該固定用金網の上から押圧しながら取付金具を介して植立している取付体に固定するようになし、これにより函体内に収納されている植栽用基盤材を挟持固定させるようになしたことを特徴とする植栽用基礎構造体と、当該薄型植生マットの表面適所に平面方向に形成された係止部と上方向に延出された係止用爪部とからなる植栽根巻部の基部固定具と、下部に係止部を設け上部に螺子部を設けてなる支持棒と、植物の根元を環状にして押さえることが出来るようにしたワイヤーと、基部に前記支持棒への係止部を有し先端部にワイヤー係止部を有する締付用クローとからなる植栽根巻部の周囲固定具と、根部を土壌と共に布状物で包んだ植栽根巻部を形成してなる樹木系植物と、植栽用土壌との組み合わせからなる薄型緑化システムセットである。  
【００１３】
当該第３発明は、第２発明と同様の薄型緑化システムセットであって、それは植栽用基礎構造体と、植栽根巻部の基部支持具と、植栽根巻部の周囲固定具と、樹木系植物と、植栽用土壌との５資材を組み合わせたものである。第２発明との相違点は、植栽根巻部の基部支持具と、植栽根巻部の周囲固定具とが、より具体的な実施態様に特定されている点である。
【００１４】
特許を受けようとする第４発明は、薄型函体の内面を防水処理するか又は防水シートを函対内面に沿うよう内装し、その上に防根シートを函体内面に沿うよう内装し、その防根シートの上に粒状炭を敷き詰め、その上にバーク、ピートモス、炭、肥料、土壌改良材などの緑化材を不織布又はネット状シートで包んで縫製してなる薄型植生マットを重ねるように敷設収納し、更にその上に固定用金網を載置して、この固定用金網を固定手段を介して函体に固定することにより函体と当該収納物とを挟持固定させるようにしてなる植栽用基礎構造体と、樹木系植物が倒れないように植栽根巻部を周囲から押さえながら固定用金網に固定するように構成した植栽根巻部の周囲固定具と、根部を土壌と共に布状物で包んで植栽根巻部を形成してなる樹木系植物と、植栽用土壌との組み合わせからなる薄型緑化システムセットを用意し、前記植栽用基礎構造体上面に植栽用土壌を水分とともに敷き均して植栽用基礎構造体の表面を覆うとともに前記植生基盤マット内にまで植栽用土壌を入り込ませて植栽用土壌と前記植生基盤マット内の植生基盤材とが一体化するようになしたことを特徴とする薄型植栽用基盤体を構成するようになし、そのうえで当該薄型植栽用基盤体上に樹木系植物を植立するように配置し、植栽根巻部の周囲固定具を用いて、前記植栽根巻部の周囲を押さえるように固定することにより当該樹木系植物が倒れないように植立固定し、当該植栽根巻部と植栽根巻部の周囲固定金具と薄型植栽用基盤体の表面に仕上げ用の植栽土壌を被せてそれらが土壌で被覆するようになし、必要に応じてその表面に保水用のシダ、コケ、草類などの植物を植え付けたことを特徴とする薄型緑化システムである。
【００１５】
当該第４発明は、第１発明に係る薄型緑化システムセットを用いて組み立てられて出来た薄型緑化システムである。これは本願発明の最も基本的な薄型緑化システムである。この特徴は、薄型植栽用基盤体が植栽用土壌と前記植生基盤マット内の植生基盤材とが一体化した構成になっているため、ごく薄型で軽量化しているにもかかわらず、樹木系植物を含む植物を生育していくうえで必要な養分や緑化材が確保されているうえ、当該薄型植栽用基盤体には固定用金網があって、これに樹木系植物の植栽根巻部を固定させることにより、樹木系植物であっても風雪に負けずに植栽することが可能になった点にある。特に軽量化したことにより、屋上緑化やビル緑化に好適な薄型緑化システムとなっている点で実用性が高いものとなっている。
【００１６】
特許を受けようとする第５発明は、防水シートと防根シートを重ねて底部と側部を形成し、その底部上に粒状炭を敷き詰め、その上にバーク、ピートモス、炭、肥料、土壌改良材などの緑化材を不織布又はネット状シートで包んで縫製してなる薄型植生マットを重ね、全体を一体に止めて薄型植生マット体となし、これを薄型函体内に収納し、その上に固定用金網を載置してこの固定用金網を固定手段を介して函体に固定することにより函体と当該収納物とを挟持固定させるようにした植栽用基礎構造体と、前記薄型植生マットの表面適所に配設し植栽根巻部の基部を支持し且つ植栽根巻部を前記植栽用基礎構造体の固定用金網に固定し得るようになした植栽根巻部の基部固定具と、植栽根巻部を押圧固定して樹木系植物が倒れないように固定用金網に固定するための植栽根巻部の周囲固定手段と、根部を土壌と共に布状物で包んだ植栽根巻部を形成してなる樹木系植物と、植栽用土壌との組み合わせからなる薄型緑化システムセットを用意する。その上で、前記植栽用基礎構造体上面の望む場所に任意の数の前期植栽根巻部の基部固定具を前記固定用金網に固定したうえ、その上に植栽用土壌を水分とともに敷き均して植栽用基礎構造体の表面を覆うとともに前記植生基盤マット内にまで植栽用土壌を入り込ませて植栽用土壌と前記植生基盤マット内の植生基盤材とが一体化するようになすとともに、その表面を覆う植栽用土壌から前記植栽根巻部の基部固定具の先端部を突出させて植栽根巻部配置領域を形成したことを特徴とする薄型植栽用基盤体を構成するようになし、そのうえで当該薄型植栽用基盤体の植栽根巻部配置領域に樹木系植物を植立するように配置して前記植栽根巻部の基部固定具により位置決めと、樹木系植物における植栽根巻部の基部を支持するようになし、更に、植栽根巻部の周囲固定具を用いて、前記植栽根巻部の周囲を押さえるように固定することにより当該樹木系植物が倒れないように植立固定し、当該植栽根巻部と組み立てられた前記植栽根巻部の基部固定具と植栽根巻部の周囲固定金具と薄型植栽用基盤体の表面に仕上げ用に植栽土壌を被せてそれらが土壌で被覆するようになし、必要に応じてその表面に保水用のシダ、コケ、草類などの植物を植え付けたことを特徴とする薄型緑化システムである。
【００１７】
当該第５発明は、第２発明に係る薄型緑化システムセットを用いて組み立てられて出来た薄型緑化システムである。この発明も第４発明と同様な特徴と機能を有しており、樹木系植物であっても風などによって不用意に倒れないように植栽可にしたものである。また、その軽量化の実現により屋上緑化やビル緑化に際して、その重量的負担を軽減できるようにした点に特徴のある薄型緑化システムである。特に、第４発明との相違は、植栽根巻部の基部固定具を前記固定用金網に固定させて植栽根巻部配置領域を形成しておくことにより、樹木系植物における植栽根巻部の位置決めと、樹木系植物における植栽根巻部の基部を支持するようになし、樹木系植物をより強固に植立固定を実現できるようにしたものである。その結果、具体的には、より背の高い大きな樹木系植物の植栽が可能になった。
【００１８】
特許を受けようとする第６発明は、厚さが５〜２０ｃｍ薄型函体の底板面より函体内に向けて複数の取付体を植立し、その函体内面を防水処理するか又は防水シートを函体内面に沿うよう内装し、その上に防根シートを函体内面に沿うよう内装し、その際前記取付体は防根シートを貫通した状態にしておき、その防根シートの上に粒状炭を敷き詰め、その上にバーク、ピートモス、炭、肥料、土壌改良材などの混合物を不織布又はネット状シートで包んだうえ縫製してなる薄型植生マットを重ねるように敷設し、更に必要に応じて当該薄型植生マットの表面適所に平面方向に形成された係止部と上方向に延出された係止用爪部とからなる植栽根巻部の基部固定具を単数または複数配設し、その上に固定用金網を載置して、取付金具を介して当該固定用金網の上から押圧しながら前記植立している取付体に固定するようになし、これにより函体内に収納されている植栽用基盤材と植栽根巻部の基部固定具とを挟持固定させるようになし、その上に植栽用土壌を水分とともに敷き均して、前記植生基盤マット内にまで前記植栽用土壌を入り込ませて表面を覆う植栽用土壌と前記植生基盤マット内の植生基盤材とが一体化するとともに、その表面を覆う植栽用土壌から前記植栽根巻部の基部固定具の係止用爪部の先端部を突出させて植栽根巻部配置領域を形成するようにしたことを特徴とする薄型植栽用基盤体と、下部に係止部を設け上部に螺子部を設けてなる支持棒と植物の根元を環状にして押さえることが出来るようにしたワイヤーと基部に前記支持棒へ係合部を有し先端部にワイヤー係止部を有する締付用クローとからなる植栽根巻部の周囲固定金具と、根部を付着している土壌と共に布状物で包み植栽根巻部を形成してなる樹木系植物とを用意し、樹木系植物を前記薄型植栽用基盤体の植栽根巻部配置領域に植立するように配置して前記植栽根巻部の基部固定具により位置決めと、樹木系植物における植栽根巻部の基部を支持するようになし、更に植栽根巻部の周囲固定金具を用いて、前記植栽根巻部の根元には樹木系植物の根元にワイヤーを周回させて止めた環状ワイヤーを装着しておき、他方前記支持棒の下部に設けた係止部を固定用金網に係止させながら前記植栽根巻部の周囲に複数本立てて、その上部の螺子部に締付用クローを係合部を介して係合するとともに、締付用クローの先端部のワイヤー係止部を前記装着された環状ワイヤーに係止して、螺子により締付用クローの係合位置を移動させて環状ワイヤーと締付用クローと支持棒とを緊張させるようにして植栽根巻部の周囲を押さえるように固定し、これによって樹木系植物が倒れないように植立固定したうえ、当該植栽根巻部と組み立てられた前記植栽根巻部の基部固定具と植栽根巻部の周囲固定金具と薄型植栽用基盤体の表面に仕上げ用に植栽土壌を被せてそれらが土壌で被覆するようになし、必要に応じてその表面に保水用のシダ、コケ、草類などの植物を植え付けたことを特徴とする薄型緑化システムである。
【００１９】
当該第６発明は、第５発明と同様な特徴と機能をもった薄型緑化システムである。第５発明との相違点は、植栽根巻部の基部支持具と、植栽根巻部の周囲固定具とを、より具体的な実施態様に特定した点にある。これらはいずれも簡単に組み立てることができ、植栽根巻部の大きさや形状の相違にも対応できるので、便利である。
【００２０】
特許を受けようとする第７発明は、薄型函体の内面を防水処理するか又は防水シートを函対内面に沿うよう内装し、その上に防根シートを函体内面に沿うよう内装し、その防根シートの上に粒状炭を敷き詰め、その上にバーク、ピートモス、炭、肥料、土壌改良材などの緑化材を不織布又はネット状シートで包んで縫製してなる薄型植生マットを重ねるように敷設収納し、更にその上に固定用金網を載置して、この固定用金網を固定手段を介して函体に固定することにより函体と当該収納物とを挟持固定させるようにしたことを特徴とする植栽用基礎構造体である。
【００２１】
特許を受けようとする第８発明は、防水シートと防根シートを重ねて底部と側部を形成し、その底部上に粒状炭を敷き詰め、その上にバーク、ピートモス、炭、肥料、土壌改良材などの緑化材を不織布又はネット状シートで包んで縫製してなる薄型植生マットを重ね、全体を一体に止めて薄型植生マット体となし、これを薄型函体内に収納するが、当該薄型函体の底板面より函体内に向けて複数の取付体を突出してあり、その函体内に突出した前記取付体は薄型植生マットを貫通した状態にしておき、その上に固定用金網を載置したうえ、当該固定用金網の上から押圧しながら取付金具を介して植立している取付体に固定するようになし、これにより函体内に収納されている植栽用基盤材を挟持固定させるようになしたことを特徴とする植栽用基礎構造体である。
【００２２】
当該第７発明と第８発明に係る植栽用基礎構造体は、本発明に係る薄型緑化システムを構築するために最も重要な部材である。これは極薄型で軽量であるにもかかわらず、表面から植栽用土壌を水で泥土状にして敷き均し、前記植生基盤マット内にまで植栽用土壌を入り込ませただけで、簡単に薄型植栽用基盤体を構築することができる。また、当該薄型植栽用基盤体は、固定用金網が表面にあって植栽用基盤材を挟持固定しているので、堅牢な一体構造になっている。更に、固定用金網の上に植え付けたいと思っている樹木系植物を含む植物の根元を簡単に固定することができるので、これだけでも商品価値がある。  
【発明の効果】
【００２３】
本発明に係る当該薄型緑化システムセットを用意すれば、あとは、前記植栽用基礎構造体の表面から植栽用土壌を水で泥土状にして敷き均し、植栽用基礎構造体の表面を覆うとともに前記植生基盤マット内にまで植栽用土壌を入り込ませただけで、簡単に薄型植栽用基盤体を完成させることができる。しかも樹木系植物であっても、薄型植栽用基盤体上に当該植物の植栽根巻部を下にして適宜配置し、その植栽根巻部を周囲固定具により当該植物が倒れないように植立固定することができる。その結果、これら薄型植栽用基盤体の表面に仕上げ用の植栽土壌を被せただけで、簡単に樹木系植物も草花類も植栽することができるようになる。すなわち、本発明に係る薄型緑化システムセットさえあれば、誰でも簡単に樹木系植物を含む緑化を実現することができる。
【００２４】
次に、本発明に係る薄型緑化システムは、薄型植栽用基盤体が植栽用土壌と前記植生基盤マット内の植生基盤材とが一体化した構成になっているため、ごく薄型で軽量であるにもかかわらず、樹木系植物を含む植物を生育していくうえで必要な養分や緑化材が確保されている。同時に、当該薄型植栽用基盤体には固定用金網があって、これに樹木系植物の植栽根巻部を強固に固定させたことにより、樹木系植物であっても風雪に負けずに植栽することが可能になった。また、本発明に係る薄型緑化システムは、従来の樹木系植物を含む緑化装置に比較して、大幅に軽量化したことにより、屋上やビルに過剰な重量的負担が軽減され、屋上緑化やビル緑化に好適な薄型緑化システムとなった。
【００２５】
本発明に係る植栽用基礎構造体は、構成上極薄型で軽量であるにもかかわらず、表面から植栽用土壌を水で泥土状にして敷き均し、前記植生基盤マット内にまで植栽用土壌を入り込ませただけで、簡単に薄型植栽用基盤体を構築することができる。また、当該薄型植栽用基盤体は、固定用金網が表面にあって植栽用基盤材を挟持固定しているので、堅牢な一体構造になっている。更に、固定用金網の上に植え付けたいと思っている樹木系植物を配置したとき、その植栽根巻部を周囲固定具により固定用金網に固定できる。その結果、当該樹木系植物を風や雪などによって不用意に倒れないように植栽することができることになる。
【発明を実施するための最良の形態】
【００２６】
以下、本発明を図示実施例に基づき詳細に説明する。
図１は、本発明に係る植栽用基礎構造体の組み立て前の構成部材を示す斜視図であり、図２は、本発明に係る植栽用基礎構造体を示す斜視図であり、図３は、薄型植栽用基盤体を示す斜視図であり、図４は、薄型植生マット体を示す斜視図である。また、図５は、植栽根巻部の基部支持具の一実施例を示す斜視図であり、図６は、植栽根巻部の周囲固定具の一実施例を示す斜視図であり、図７の（イ）（ロ）は、植栽根巻部の周囲固定具の他実施例を示す斜視図であり、その（イ）は、係止ピンの係止差込部を、植栽根巻部４ａの周囲に複数本、前記薄型植生マットの中に差込み、それを開いてスライドして植栽根巻部４ａを支える準備状態を示す斜視図であり、その（ロ）は、係止ピン３ｇの支持部３ｅにおける頭部の環状ワイヤー係止部３ｆに、環状ワイヤー３ｂを係止して、絞り込むことにより支持部３ｅをスライドさせ固定させる状態を示す斜視図である。また、図８は、樹木系植物を示す斜視図であり、図９は、植栽用土壌を示す斜視図である。更に、図１０は、薄型植栽用基盤体の表面に樹木系植物を植立固定した状態の実施例を示す斜視図であり、図１１は、本発明に係る薄型緑化システムの一実施例を示す完成斜視図である。
【００２７】
本発明に係る薄型緑化システムセットは、植栽用基礎構造体１と、植栽根巻部の基部支持具２と、植栽根巻部の周囲固定具３と、樹木系植物４と、植栽用土壌５とで一式のセットになるもので、これを組み合わせることにより薄型緑化システムを完成することができる。
【００２８】
そこで、薄型緑化システムセットを構成するこれら資材について、詳細に説明する。
図１は、植栽用基礎構造体１の組み立て前の構成部材を示す斜視図であるが、これは、薄型函体６と防水シート７と、防根シート８と、粒状炭９と、薄型植生マット１０と、固定用金網１１と取付金具１２とから構成されている。
【００２９】
当該植栽用基礎構造体１の一態様は、薄型函体６の内面を防水処理するか又は防水シート７を当該函体６の内面に沿うよう内装し、その上に防根シート８を函体６内面に沿うよう内装し、その防根シート８の上に粒状炭９を敷き詰め、その上にバーク、ピートモス、炭、肥料、土壌改良材などの緑化材を不織布又はネット状シートで包んで縫製してなる薄型植生マット１０を重ねるように敷設収納し、更にその上に固定用金網１１を載置して、この固定用金網１１を取付金具１２などの固定手段を介して薄型函体６に固定することにより当該函体６と当該収納物とを挟持固定させるように構成されている。
【００３０】
当該植栽用基礎構造体１の他の態様は、防水シートと防根シートを重ねて底部と側部を形成し、その底部上に粒状炭を敷き詰め、その上にバーク、ピートモス、炭、肥料、土壌改良材などの緑化材を不織布又はネット状シートで包んで縫製してなる薄型植生マットを重ね、全体を一体に止めて薄型植生マット体となし、これを薄型函体内に収納するが、当該薄型函体の底板面より函体内に向けて複数の取付体を突出してあり、その函体内に突出した前記取付体は薄型植生マットを貫通した状態にしておき、その上に固定用金網を載置したうえ、当該固定用金網の上から押圧しながら取付金具を介して植立している取付体に固定するようになし、これにより函体内に収納されている植栽用基盤材を挟持固定させるようになしたことを特徴とする植栽用基礎構造体である。
【００３１】
これらを更に詳細に説明すると、前記薄型函体６は、厚さがほぼ５〜２０ｃｍのものであり、その底板面より函体６内に向けて複数の取付体１３，１３が植立してある。この薄型函体６は、出来るだけ軽量化することが望ましく、図示実施例の場合には、発泡スチロール製の函の表面をカラートタン板で被覆することにより構成したが、これに限られないこと勿論である。この薄型函体６の内面は防水処理するか又は防水シートが内装されていることが必要である。図示実施例の場合には、薄型は函体６の内面に沿うように防水シート７を内装した。その上に防根シート８を当該函体の内面に沿うよう内装してある。植物の根は成長力が強く、岩をも砕くほどの力があるので、不用意に伸長した根が函体を壊すことがないように設けたものである。函体６の底に粒状炭９を敷くのは、散水した余分の水が函の底に溜まることがあるので、その溜まった水を浄化して腐敗しないようにし、植物の根が根腐れを起こさないようにする為のものである。更に、薄型植生マット１０は、植栽した植物に養分を供給する植生基盤の中心となるものであるが、その実施態様は多様に考えられるが、バーク、ピートモス、炭、肥料、土壌改良材などの緑化材は、少なくとも必要なものである。緑化材としてここに挙げたもの以外の緑化材が含まれていても良いこと勿論である。縫製してあるのは、内包されている緑化材が偏在しないようにするためである。更に薄型植生マット１０の上には、固定用金網１１が載置されており、これは函体６の底板面より植立した取付金具１２、１２が積載した収納物を貫通するようにした上、取付金具とを介して挟持固定してなるものである。すると図２に示すような植栽用基礎構造体１となるのである。実施例として試作した１メートル四方の大きさの植栽用基礎構造体１の重量は、６３ｋｇと超軽量であった。この植栽用基礎構造体１で、高さ１〜２ｍの樹木を数本植栽することが可能である。普通の強風では、倒れることもない。
【００３２】
なお、当該植栽用基礎構造体１は、第７発明、第８発明のように多様に考えられる。第７発明は、防水シート７と防根シート８と薄型植生マット１０とが別体に構成されており、これらを重ねるようにして薄型函体６内に敷設収納するものであるが、第８発明は防水シート７と防根シート８が薄型植生マット体１０Ａとして一体に構成されており、当該防水・防根機能を備えた薄型植生マット体１０Ａを薄型函体６内に収納したものとなっている（図４）。更に、図２に示したように第８発明の植栽用基礎構造体１は、植栽根巻部の基部支持具２を最初から備えられている態様のものであるのに対し、第７発明の植栽用基礎構造体１は、図２に示されているものから植栽根巻部の基部支持具２を除いたものである。
【００３３】
図５は、前記薄型植生マット１０の表面適所に配設して前記固定用金網１１に固定し得るように構成するとともに、樹木系植物の位置決めとその植栽根巻部の基部を支持し得るように構成した植栽根巻部の基部支持具２である。図示実施例のものは、前記固定用金網１１に固定し得るように水平方向に延出された部分と立ち上がり部分が形成されているＬ字形の短冊片が２枚１組になって対向するように重なっている。これが２組十字形に配設された構成になっている。この実施例の場合には、１組の対向する立ち上がり面の間の距離を調節自在であることがメリットである。しかし、当該植栽根巻部の基部支持具２は、この実施例に限る必要はなく、植物の植栽根巻部の基部を支持し得るように構成したものであれば他の形態であっても良いこと勿論である。
【００３４】
図６は、植栽根巻部の周囲固定金具３Ａの一実施例に係る斜視図である。当該植栽根巻部の周囲固定金具３Ａは、下部に固定用金網１１に係止し得る係止部を設け上部に螺子部を設けてなる支持棒３ａ複数本と、植物の根元を環状にして押さえることが出来るようにしたワイヤー３ｂと，基部に前記支持棒３ａへ契合し得る係合部を有し先端部にワイヤー係止部を有する締付用クロー３ｃとから構成されている。図示実施例の植栽根巻部の周囲固定金具３は、組み立てが簡単で、強く締め付けて植栽根巻部を強固に固定する操作が容易であるが、当該植栽根巻部の周囲固定金具３をこの実施例に限る必要はまったくない。
【００３５】
次に、図７の（イ）（ロ）は、植栽根巻部の周囲固定金具３の他実施例に係る斜視図である。図示実施例の植栽根巻部の周囲固定金具３Ｂは、長尺な金属棒を水平状の係止差込部３ｄとその一方端部から上方に立ち上がらせた支持部３ｅとその頭部に環状ワイヤー係止部３ｆとを設けてなる係止ピン３ｇ，３ｇ，３ｇが複数本と、環状ワイヤー３ｂとの組み合せとからなる。
【００３６】
図８は、根部を土壌と共に布状物で包んで植栽根巻部４ａを形成してなる樹木系植物４である。根を植栽根巻部４ａにするのは、固定する際の確実性を高めるためと、植栽直後の活着の確立を高めるためである。
【００３７】
図９は、植栽用土壌５である。その成分は、土だけでなく肥料や土壌改善材や肥料など植栽する植物の種類や、環境に応じて必要なものを調製された植栽用土壌である。
次に、上記のような資材の用意されている薄型緑化システムセットを用いて、簡単に本発明に係る薄型緑化システムを組み立ててみることとする。
【００３８】
まず、図２に示したような植栽用基礎構造体１の上に図３のように植栽用土壌を水分とともに敷き均して、前記植生基盤マット１０内にまで前記植栽用土壌５を入り込ませて表面を覆う植栽用土壌５と前記植生基盤マット内の植生基盤材とが一体化するとともに、その表面を覆う植栽用土壌５から前記植栽根巻部の基部固定具２の係止用爪部の先端部を突出させて植栽根巻部配置領域２ａを形成した薄型植栽用基盤体を構築する。
【００３９】
そのうえで、薄型植栽用基盤体の上に、図３に示すは樹木系植物４を前記薄型植栽用基盤体の植栽根巻部配置領域２ａに植立するように配置して前記植栽根巻部の基部固定具３により位置決めと、樹木系植物４における植栽根巻部４ａの基部を支持するようになす。
【００４０】
それから図６に示す植栽根巻部の周囲固定金具３Ａを用いて、前記樹木系植物４が倒れないように植立固定する方法を説明する。樹木系植物４の根元にワイヤーを周回させて止めた環状ワイヤー３ｂを装着しておき、他方前記支持棒３ａの下部に設けた係止部を固定用金網１１に係止させながら前記植栽根巻部４ａの周囲に複数本立てて、その上部の螺子部に締付用クロー３ｃを係合部を介して係合するとともに、締付用クロー３ｃの先端部に設けたワイヤー係止部を前記装着された環状ワイヤー３ｂに係止して、螺子により締付用クロー３ｃの係合位置を移動させて環状ワイヤー３ｂと締付用クロー３ｃと支持棒３ａとを緊張させ植栽根巻部４ａの周囲を押さえるように固定する。これによって図１０のように樹木系植物４が倒れないように植立固定する。
【００４１】
更に図７の（イ）（ロ）は、他実施例にかかる植栽根巻部の周囲固定金具３Ｂを用いて、前記樹木系植物４が倒れないように植立固定する方法を説明する。図示実施例の植栽根巻部の周囲固定金具３Ｂの係止ピン３ｇを数本用意し、その水平状の係止差込部３ｄを、樹木系植物４の植栽根巻部４ａの周囲に複数本、前記薄型植生マット１０の不織布又はネット状シートの中に差込み、それをスライドさせながら樹木系植物４の植栽根巻部４ａを支えるようになす｛６（イ）｝。その上で、支持部３ｅの頭部の環状ワイヤー係止部３ｆに、環状ワイヤー３ｂを係止して、絞り込むことにより｛６（ロ）｝樹木系植物４が倒れないように植立固定する。前記植栽根巻部の周囲固定金具３Ａ，３Ｂのいずれの実施例を用いても良いこと勿論である。
【００４２】
最後に、当該植栽根巻部と組み立てられた前記植栽根巻部の基部固定具と植栽根巻部の周囲固定金具と薄型植栽用基盤体の表面に仕上げ用に植栽土壌を被せてそれらが土壌で被覆するようになし、必要に応じてその表面に保水用のシダ、コケ、セダム類、草類などの植物を植え付ける。これによって、図１１に示すように樹木系植物を含む植物を植栽した薄型緑化システムを完成した。この本発明に係る薄型緑化システムは、薄型植栽用基盤体が植栽用土壌５と前記植生基盤マット１０、１０Ａ内の植生基盤材とが一体化した構成になっているため、ごく薄型で軽量である。それなのに、樹木系植物を含む植物を生育していくうえで必要な養分や緑化材が確保されていると同時に、当該薄型植栽用基盤体には固定用金網があって、これに樹木系植物の植栽根巻部を強固に固定させたことにより、樹木系植物であっても風雪に負けずに植栽することが可能になった。更に、このような本発明に係る薄型緑化システムは、従来の樹木系植物を含む緑化装置に比較して、大幅に軽量化したことにより、屋上やビルに過剰な重量的負担が軽減され、既存の屋上緑化やビル緑化にも好適な薄型緑化システムとなった。
【産業上の利用可能性】
【００４３】
叙上のように、本発明に係る薄型緑化システムは、薄型植栽用基盤体を薄型で軽量化することと、風雪による倒木を防ぐために樹木系植物を薄型植栽用基盤体に固定することによって、従来困難とされていた樹木系植物の植栽が可能になった。すなわち、従来困難とされていた樹木系植物によるビル緑化や屋上緑化の技術的課題を本発明に係る薄型緑化システムが解決し、その緑化工法の簡便性、植え付けの容易性、安全性、移動の便利性を実現した、実用価値の高い緑化システムである。近年社会問題になっている、ヒートアイランド現象に対応する緑化システムとしての利用も可能である。
【図面の簡単な説明】
【００４４】
【図１】本発明に係る植栽用基礎構造体の組み立て前の構成部材を示す斜視図である。
【図２】本発明に係る植栽用基礎構造体を示す斜視図である。
【図３】薄型植栽用基盤体を示す斜視図である。
【図４】薄型植生マット体を示す斜視図である。
【図５】植栽根巻部の基部支持具を示す斜視図である。
【図６】植栽根巻部の周囲固定具を示す斜視図である。
【図７】植栽根巻部の周囲固定具の他実施例を示す斜視図である。
【図８】樹木系植物を示す斜視図である。
【図９】植栽用土壌を示す斜視図である。
【図１０】薄型植栽用基盤体の表面に樹木系植物を植立固定した状態の実施例を示す斜視図である。
【図１１】本発明に係る薄型緑化システムの一実施例を示す完成斜視図である。
【符号の説明】
【００４５】
１：植栽用基礎構造体
２：植栽根巻部の基部支持具
２ａ：植栽根巻部配置領域
３：植栽根巻部の周囲固定具
３Ａ：当該植栽根巻部の周囲固定金具
３ａ：支持棒
３ｂ：環状ワイヤー
３ｃ：締付用クロー
３Ｂ：当該植栽根巻部の周囲固定金具
３ｄ：係止差込部
３ｅ：支持部
３ｆ：環状ワイヤー係止部
３ｇ：係止ピン
４：樹木系植物
４ａ：植栽根巻部
５：植栽用土壌
６：薄型函体
７：防水シート
８：防根シート
９：粒状炭
１０：薄型植生マット
１０Ａ：薄型植生マット体
１１：固定用金網
１２：取付金具
１３：取付体
【図１】
2005185110.tif 000003
【図２】
2005185110.tif 000004
【図３】
2005185110.tif 000005
【図４】
2005185110.tif 000006
【図５】
2005185110.tif 000007
【図６】
2005185110.tif 000008
【図７】
2005185110.tif 000009
【図８】
2005185110.tif 000010
【図９】
2005185110.tif 000011
【図１０】
2005185110.tif 000012
【図１１】
2005185110.tif 000013